(57)【要約】【課題】テレビ視聴中に撮影が可能なデジタルカメラを提供する。【解決手段】モードスイッチ４２にてカメラのモードをテレビモードに設定すると、液晶モニタ３０にテレビ映像が表示される。このテレビモードの下、レリーズボタン２２が半押しされると、液晶モニタ３０の表示がテレビ映像からスルー画像に切り替わり、撮影スタンバイ状態となる。【選択図】    図１
2005167701.tif 000002
【特許請求の範囲】
【請求項１】
撮影レンズを介して撮像素子の受光面に結像した撮影前の被写体像をスルー画像としてモニタに表示可能なデジタルカメラであって、半押しと全押しとからなる二段式のレリーズボタンを備え、該レリーズボタンの半押しで撮影準備を行ない、全押しで撮影を実行するデジタルカメラにおいて、
テレビ放送を受信するためのチューナと、
前記チューナで受信されたテレビ映像を前記モニタに表示させるテレビモードと、撮影を行なう撮影モードとを切り替えるモード切替手段と、
前記モード切替手段で前記テレビモードに設定されると、前記モニタに前記テレビ映像を表示させ、該テレビモードで前記レリーズボタンが半押しされると、該モニタの表示を前記スルー画像に切り替える表示制御手段と、
を備えたことを特徴とするデジタルカメラ。
【請求項２】
前記表示制御手段は、前記モード切替手段で前記テレビモードに設定されると、前記モニタに前記テレビ映像を全画面表示させるとともに、該テレビ映像に重ねて前記スルー画像を小画面表示させ、該テレビモードで前記レリーズボタンが半押しされると、前記モニタにスルー画像を全画面表示させるとともに、該スルー画像に重ねて前記テレビ映像を小画面表示させることを特徴とする請求項１に記載のデジタルカメラ。
【請求項３】
前記テレビモードで前記テレビ映像に重ねて小画面表示される前記スルー画像の表示／非表示を切り替える表示切替手段を備えたことを特徴とする請求項２に記載のデジタルカメラ。
【請求項４】
撮影レンズを介して撮像素子の受光面に結像した撮影前の被写体像をスルー画像としてモニタに表示可能なデジタルカメラであって、半押しと全押しとからなる二段式のレリーズボタンを備え、該レリーズボタンの半押しで撮影準備を行い、全押しで撮影を実行するデジタルカメラにおいて、
サブモニタと、
テレビ放送を受信するためのチューナと、
前記チューナで受信されたテレビ映像を前記モニタに表示させるテレビモードと、撮影を行なう撮影モードとを切り替えるモード切替手段と、
前記モード切替手段で前記テレビモードに設定されると、前記モニタに前記テレビ映像を表示させるとともに、前記サブモニタに前記スルー画像を表示させ、該テレビモードで前記レリーズボタンが半押しされると、前記モニタに前記スルー画像を表示させるとともに、前記サブモニタに前記テレビ映像を表示させる表示制御手段と、
を備えたことを特徴とするデジタルカメラ。
【請求項５】
前記テレビモードで前記サブモニタに表示させるスルー画像の表示／非表示を切り替える表示切替手段を備えたことを特徴とする請求項４に記載のデジタルカメラ。
【請求項６】
前記表示制御手段は、前記レリーズボタンが半押しされると、前記モニタに前記スルー画像とともに撮影情報を表示することを特徴とする請求項１、２、３、４又は５に記載のデジタルカメラ。
【発明の詳細な説明】
【技術分野】
【０００１】
本発明はデジタルカメラに係り、特にテレビ放送を視聴可能なデジタルカメラに関する。
【背景技術】
【０００２】
一般にデジタルカメラにはモニタが備えられている。このモニタは撮影済み画像の再生用モニタとして利用される他、撮影前のスルー画像を表示させて電子ビューファインダとして利用されたり、各種設定時のメニュー表示画面として利用されたりしている。そして、特許文献１、２では、このデジタルカメラのモニタを利用して、テレビ放送を視聴することが提案されている。この特許文献１、２のデジタルカメラは、いずれもカメラボディにテレビチューナを内蔵し、カメラボディに設けられた切替スイッチにて、テレビ視聴するテレビモードと撮影を行なうカメラモードとを切り替えて使用できるように構成している。
【特許文献１】特開平７−９５５０９号公報
【特許文献２】特開２０００−２３００４号公報
【発明の開示】
【発明が解決しようとする課題】
【０００３】
しかしながら、従来のテレビ視聴可能なデジタルカメラは、いずれも切替スイッチでテレビモードとカメラモードとを切り替えるようにしているため、テレビ視聴中にシャッタチャンスが訪れた際、迅速に対応することができず、シャッタチャンスを逃しやすいという欠点があった。
【０００４】
本発明はこのような事情に鑑みてなされたもので、テレビ視聴中に撮影が可能なデジタルカメラを提供することを目的とする。
【課題を解決するための手段】
【０００５】
請求項１に係る発明は、前記目的を達成するために、撮影レンズを介して撮像素子の受光面に結像した撮影前の被写体像をスルー画像としてモニタに表示可能なデジタルカメラであって、半押しと全押しとからなる二段式のレリーズボタンを備え、該レリーズボタンの半押しで撮影準備を行ない、全押しで撮影を実行するデジタルカメラにおいて、テレビ放送を受信するためのチューナと、前記チューナで受信されたテレビ映像を前記モニタに表示させるテレビモードと、撮影を行なう撮影モードとを切り替えるモード切替手段と、前記モード切替手段で前記テレビモードに設定されると、前記モニタに前記テレビ映像を表示させ、該テレビモードで前記レリーズボタンが半押しされると、該モニタの表示を前記スルー画像に切り替える表示制御手段と、を備えたことを特徴とするデジタルカメラを提供する。
【０００６】
本発明によれば、モード切替手段でカメラのモードがテレビモードに設定されると、チューナで受信されたテレビ映像がモニタに表示される。そして、このテレビモードの下、レリーズボタンが半押しされると、撮影準備が行なわれ、モニタの表示がテレビ映像からスルー画像に切り替えられる。これにより、テレビ視聴中にシャッタチャンスが訪れた場合であっても迅速に対応することができる。
【０００７】
また、請求項２に係る発明は、前記目的を達成するために、前記表示制御手段は、前記モード切替手段で前記テレビモードに設定されると、前記モニタに前記テレビ映像を全画面表示させるとともに、該テレビ映像に重ねて前記スルー画像を小画面表示させ、該テレビモードで前記レリーズボタンが半押しされると、前記モニタにスルー画像を全画面表示させるとともに、該スルー画像に重ねて前記テレビ映像を小画面表示させることを特徴とする請求項１に記載のデジタルカメラを提供する。
【０００８】
本発明によれば、モード切替手段でカメラのモードがテレビモードに設定されると、チューナで受信されたテレビ映像がモニタに全画面表示され、そのテレビ映像に重ねてスルー画像が小画面表示される。そして、このテレビモードの下、レリーズボタンが半押しされると、テレビ映像とスルー画像とが入れ替えられて表示される。すなわち、スルー画像が全画面表示され、そのスルー画像に重ねてテレビ映像が小画面表示される。これにより、テレビ視聴中も同じモニタの画面内でスルー画像を確認できるので、突然のシャッタチャンスの時でも適切な画角、構図で撮影を行なうことができる。また、撮影中も同じモニタの画面内でテレビ映像を見れるので、テレビ映像を見逃すこともない。
【０００９】
請求項３に係る発明は、前記目的を達成するために、前記テレビモードで前記テレビ映像に重ねて小画面表示される前記スルー画像の表示／非表示を切り替える表示切替手段を備えたことを特徴とする請求項２に記載のデジタルカメラを提供する。
【００１０】
本発明によれば、表示切替手段によってテレビ映像に重ねて小画面表示されるスルー画像の表示／非表示を任意に切り替えることができる。
【００１１】
請求項４に係る発明は、前記目的を達成するために、撮影レンズを介して撮像素子の受光面に結像した撮影前の被写体像をスルー画像としてモニタに表示可能なデジタルカメラであって、半押しと全押しとからなる二段式のレリーズボタンを備え、該レリーズボタンの半押しで撮影準備を行い、全押しで撮影を実行するデジタルカメラにおいて、サブモニタと、テレビ放送を受信するためのチューナと、前記チューナで受信されたテレビ映像を前記モニタに表示させるテレビモードと、撮影を行なう撮影モードとを切り替えるモード切替手段と、前記モード切替手段で前記テレビモードに設定されると、前記モニタに前記テレビ映像を表示させるとともに、前記サブモニタに前記スルー画像を表示させ、該テレビモードで前記レリーズボタンが半押しされると、前記モニタに前記スルー画像を表示させるとともに、前記サブモニタに前記テレビ映像を表示させる表示制御手段と、を備えたことを特徴とするデジタルカメラを提供する。
【００１２】
本発明によれば、モード切替手段でカメラのモードがテレビモードに設定されると、モニタにテレビ映像を表示され、サブモニタにスルー画像が表示される。そして、このテレビモードの下、レリーズボタンが半押しされると、撮影準備が行なわれ、テレビ映像とスルー画像とが入れ替えられて表示される。すなわち、スルー画像がモニタに表示され、サブモニタにテレビ映像が表示される。これにより、テレビ視聴中もサブモニタでスルー画像を確認できるので、突然のシャッタチャンスの時でも適切な画角、構図で撮影を行なうことができる。また、撮影中もサブモニタでテレビ映像を見れるので、テレビ映像を見逃すこともない。
【００１３】
また、請求項５に係る発明は、前記目的を達成するために、前記テレビモードで前記サブモニタに表示させるスルー画像の表示／非表示を切り替える表示切替手段を備えたことを特徴とする請求項４に記載のデジタルカメラを提供する。
【００１４】
本発明によれば、表示切替手段によってサブモニタに表示されるスルー画像の表示／非表示を任意に切り替えることができる。
【００１５】
また、請求項６に係る発明は、前記目的を達成するために、前記表示制御手段は、前記レリーズボタンが半押しされると、前記モニタに前記スルー画像とともに撮影情報を表示することを特徴とする請求項１、２、３、４又は５に記載のデジタルカメラを提供する。
【００１６】
本発明によれば、レリーズボタンが半押しされると、スルー画像とともにシャッタ速度や絞り値、撮影可能枚数、撮影サイズ（撮影画質）等の撮影情報が表示される。これにより、撮影情報も瞬時に把握することができる。
【発明の効果】
【００１７】
以上説明したように、本発明によれば、テレビ視聴中であってもレリーズボタンを半押しすると、瞬時にモニタの表示がテレビ映像からスルー画像に切り替わり、撮影スタンバイ状態になるため、テレビ視聴中に突然のシャッタチャンスが訪れた場合であっても迅速に対応することができる。
【発明を実施するための最良の形態】
【００１８】
以下、添付図面に従って本発明にデジタルカメラの好ましい実施の形態について説明する。
【００１９】
図１〜図３は、それぞれ本発明に係るデジタルカメラの第１の実施の形態の外観構成を示す正面図、側面図、背面図である。同図に示すように、このデジタルカメラ１０のカメラボディ１２は、縦長で薄く四角い箱状に形成されている。
【００２０】
図１に示すように、カメラボディ１２の正面には、撮影レンズ１４、ストロボ１６、ストロボ調光センサ１８等が設けられており、上面にはアンテナ２０が設けられている。
【００２１】
撮影レンズ１４は、沈胴式のズームレンズで構成されており、カメラの電源を投入すると、カメラボディ１２から繰り出される。
【００２２】
アンテナ２０は、テレビ放送を受信するためのものであり、カメラボディ１２の上面から伸縮自在に設けられている。
【００２３】
カメラボディ１２の側面には、図２に示すように、レリーズボタン２２、ズームレバー２４、ストロボボタン２６、マクロボタン２８等が設けられている。
【００２４】
レリーズボタン２２は、いわゆる「半押し」と「全押し」とからなる二段式のスイッチで構成されており、このレリーズボタン２２が半押しされると、被写体にピントが合わせられ、被写体の明るさが測定（測光）される。そして、この状態から更にレリーズボタン２２が押し込まれて、レリーズボタン２２が全押しされると、撮影が実行される。
【００２５】
ズームレバー２４は、撮影時に撮影画像のズーム（テレ／ワイド）を指示するボタンとして機能するとともに、再生時に表示画像のズーム（拡大／縮小）を指示するスイッチとして機能する。このズームレバー２４は、上下方向にスライド自在に設けられており、上方向に操作することにより、ズームがテレ側（撮影時）又は拡大側（再生時）に操作され、下方向に操作することにより、ズームがワイド側（撮影時）又は縮小側（再生時）に操作される。
【００２６】
ストロボボタン２６は、撮影時にストロボモードを選択するボタンとして機能し、マクロボタン２８は、撮影時にマクロ機能のＯＮ／ＯＦＦを指示するボタンとして機能する。
【００２７】
カメラボディ１２の背面には、図３に示すように、液晶モニタ３０、表示ボタン３２、メニュー／ＯＫボタン３４、十字ボタン３６、ＢＡＣＫボタン３８、電源ボタン４０、モードスイッチ４２、スピーカ４４等が設けられている。
【００２８】
モードスイッチ４２は、カメラのモードを切り替えるスイッチとして機能し、このモードスイッチ４２をスライド操作することにより、カメラのモードが「カメラモード」、「再生モード」、「テレビモード」のいずれかに設定される。
【００２９】
ここで、「カメラモード」は、静止画撮影を行なうモードであり、「再生モード」は、そのカメラモードで撮影された撮影画像を液晶モニタ３０上に再生表示するモードである。また、「テレビモード」は、テレビ映像を液晶モニタ３０上に再生表示するモードである。
【００３０】
液晶モニタ３０は、再生モード時に撮影画像を表示して再生用モニタとして使用されるとともに、テレビモード時にテレビ映像を表示してテレビ用モニタとして使用される。また、カメラモード時には、撮影前のスルー画像を表示して電子ビューファインダとして使用され、各種設定時には、メニュー項目を表示してメニュー画面として使用される。
【００３１】
表示ボタン３２は、後述するように、この液晶モニタ３０の表示内容の切り替えを指示するボタンとして機能する。
【００３２】
メニュー／ＯＫボタン３４は、各モードの通常画面からメニュー画面への遷移を指示したり、選択内容の確定（登録）や処理実行（確認）を指示するボタンとして機能する。
【００３３】
十字ボタン３６は、上下左右四方向の指示を入力するボタンとして機能し、メニュー画面などから所望の項目を選択したり、各メニューにおける各種設定項目の選択内容を指示する際に使用される。
【００３４】
ＢＡＣＫボタン３８は、入力操作のキャンセル等を指示するボタンとして機能し、各種設定操作等を途中でやめるときなどに使用される。
【００３５】
図４は、本実施の形態のデジタルカメラ１０の内部構成を示したブロック図である。
【００３６】
同図において、ＣＰＵ１００は、本カメラシステムの各回路を統括制御する制御部であり、ＲＯＭ１５０Ａ及びＲＡＭ１５２等の記憶手段を備えている。ＲＯＭ１５０には、ＣＰＵ１００が処理するプログラム及び制御に必要な各種データ等が格納され、ＲＡＭ１５２は、ＣＰＵ１００が各種の演算処理等を行う際の作業用エリアとして利用される。ＣＰＵ１００は、レリーズボタン２２やモードスイッチ４２等の操作部１２０から出力された操作信号に基づき対応する回路の動作を制御する。
【００３７】
撮影レンズ１４を通過した光は、絞り１０２により光量が調節された後、ＣＣＤイメージセンサ（以下、ＣＣＤという。）１０４に入射する。
【００３８】
ＣＣＤ１０４の受光面には、フォトセンサが平面的に配列されており、撮影レンズ１４を介してＣＣＤ１０４の受光面に結像された被写体像は、各フォトセンサによって入射光量に応じた量の信号電荷に変換される。
【００３９】
なお、ＣＣＤ１０４は、シャッタゲートパルスのタイミングによって各フォトセンサの電荷蓄積時間（シャッタスピード）を制御する、いわゆる電子シャッタ機能を有している。
【００４０】
各フォトセンサに蓄積された信号電荷は、ＣＣＤドライバ１０６から与えられるパルスに基づいて信号電荷に応じた電圧信号（画像信号）として順次読み出される。ＣＣＤ１０４から出力された画像信号は、アナログ処理部１０８に送られる。
【００４１】
アナログ処理部１０８は、サンプリングホールド回路、色分離回路、ゲイン調整回路等の信号処理回路を含み、このアナログ処理部１０８において、相関二重サンプリング（ＣＤＳ）処理並びにＲ、Ｇ、Ｂの各色信号に色分離処理され、各色信号の信号レベルの調整（プリホワイトバランス処理）が行われる。
【００４２】
アナログ処理部１０８から出力された信号は、Ａ／Ｄ変換器１１０によりデジタル信号に変換された後、メモリ１１２に格納される。
【００４３】
タイミングジェネレータ（ＴＧ）１１４は、ＣＰＵ１００の指令に従ってＣＣＤドライバ１０６、アナログ処理部１０８及びＡ／Ｄ変換器１１０に対してタイミング信号を与えており、このタイミング信号によって各回路の同期がとられている。
【００４４】
メモリ１１２に格納されたデータは、バス１２２を介して信号処理部１２４に送られる。
【００４５】
信号処理部１２４は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ１００からのコマンドに従って画像信号を処理する。この信号処理部１２４に入力された画像データは、輝度信号（Ｙ信号）及び色差信号（Ｃr,Ｃb 信号）に変換されるとともに、ガンマ補正等の所定の処理が施された後、メモリ１１２に格納される。
【００４６】
メモリ１１２に格納された画像データは、メモリ１１２から表示回路１２６に入力され、表示回路１２６は入力された画像データを表示用の所定方式の信号（例えば、ＮＴＳＣ方式のカラー複合映像信号）に変換して液晶モニタ３０に出力する。
【００４７】
ここで、ＣＣＤ１０４は、液晶モニタ３０の画素数よりも多いものが使用されており、表示回路１２６は、入力する画像信号の水平方向及び垂直方向の画素数を液晶モニタ３０の画素数に一致させるように減じる処理（所定の割合で画素を間引く処理）を行い、液晶モニタ３０に出力する。こうして、当該画像データの画像内容が液晶モニタ３０の画面上に表示される。
【００４８】
ＣＣＤ１０４から出力される画像信号によってメモリ１１２内の画像データが定期的に書き換えられ、その画像データから生成される映像信号が液晶モニタ３０に供給されることにより、ＣＣＤ１０４を介して入力される画像がリアルタイムに液晶モニタ３０に表示される。撮影者は、液晶モニタ３０に映し出される画像（スルー画像）によって撮影画角を確認することができる。
【００４９】
ＯＳＤ信号発生部１２７は、キャラクタジェネレータを含み、シャッタ速度や絞り値、撮影可能枚数、撮影日時、警告メッセージ等の文字及び記号情報を表示するための信号を発生することができるとともに、構図決定の目安となるアシスト線などの信号を発生することができる。このＯＳＤ信号発生部１２７から出力される信号は、必要に応じて画像信号に混合されて、液晶モニタ３０に供給される。これにより、スルー画像や再生画像、テレビ映像に文字等が合成された合成画像が表示される。
【００５０】
さて、モードスイッチ４２によって「カメラモード」が選択されると、デジタルカメラ１０は静止画の撮影が可能になり、この状態でレリーズボタン２２が半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、レンズ駆動部１２８を制御し、撮影レンズ１４を移動させるとともに、被写体の明るさを測定し、適正露出となるように絞り値とシャッタ速度を決定する。
【００５１】
そして、レリーズボタン２２が全押しされると、ＣＰＵ１００にＳ２ＯＮ信号が発せられ、ＣＰＵ１００は、このＳ２ＯＮ信号を検知して、記録動作を実行する。すなわち、決定した絞り値となるように絞り１０２を制御するとともに、決定したシャッタ速度となるようにＣＣＤ１０４の電子シャッタを制御し、画像の取り込みを行なう。この際、ＣＰＵ１００は必要に応じてストロボ制御回路１３０にコマンドを送り、ストロボ１６の発光を制御する。
【００５２】
こうしてレリーズボタン２２の全押し操作に応動して、記録用の画像データの取り込みが開始され、ＣＣＤ１０４から出力された１コマ分の画像信号は、アナログ処理部１０８、Ａ／Ｄ変換器１１０を介してメモリ１１２に取り込まれる。メモリ１１２に取り込まれた画像信号は、信号処理部１２４で所定の信号処理が施された後、再びメモリ１１２に格納される。
【００５３】
ここで、画像データを圧縮記録するモードが選択されている場合、ＣＰＵ１００は圧縮伸張回路１３２にコマンドを送る。圧縮伸張回路１３２は、このコマンドを受けてメモリ１１２に格納された画像データをＪＰＥＧその他の所定の形式に従って圧縮する。
【００５４】
圧縮された画像データは、カードインターフェース１３４を介してメモリカード１３６に記録される。非圧縮の画像データを記録するモード（非圧縮モード）が選択されている場合には、圧縮伸張回路１３２による圧縮処理は省略され、非圧縮のまま画像データがメモリカード１３６に記録される。
【００５５】
本例のデジタルカメラ１０では、画像データを保存する手段として、例えばｘＤピクチャーカードが適用される。記録メディアの形態はこれに限定されず、スマートメディア、コンパクトフラッシュ、磁気ディスク、光ディスク、光磁気ディスク、メモリスティックなどでもよく、電子的、磁気的、若しくは光学的、又はこれらの組み合わせによる方式に従って読み書き可能な種々の媒体を用いることができる。使用される媒体に応じた信号処理手段とインターフェースが適用され、異種、同種の記録メディアを問わず、複数の媒体を装着可能な構成にしてもよい。また、画像ファイルを保存する手段は、カメラ本体に着脱可能なリムーバブルメディアに限らず、デジタルカメラ１０に内蔵された記録媒体（内部メモリ）であってもよい。
【００５６】
モードスイッチ４２によって「再生モード」が選択されると、メモリカード１３６に記録された画像の再生が可能になり、メモリカード１３６に最後に記録された画像データが読み出される。読み出された画像データは、必要に応じて圧縮伸張回路１３２によって伸張処理が施され、表示回路１２６を介して液晶モニタ３０に出力される。そして、この状態で十字ボタン３６の右キーが押されると、次画像が表示され、左キーが押されると、前画像が表示される。
【００５７】
モードスイッチ４２によって「テレビモード」が選択されると、液晶モニタ３０でテレビ視聴が可能になる。テレビ放送の電波は、アンテナ２０で受信され、チューナ１４０に入力される。チューナ１４０は、設定されたチャンネルのテレビ信号を取り出し、テレビの映像信号と音声信号とを出力する。
【００５８】
音声信号は、アンプ１４２に入力され、アンプ１４２で増幅されたのち、スピーカ４４から出力される。
【００５９】
一方、映像信号は、遅延回路１４４を介した奇数フレームと遅延回路１４４を介さない偶数フレームとが、合成回路１４６によって合成され１枚の画像とされた後、Ａ／Ｄ変換器１１０を介してメモリ１１２に取り込まれる。メモリ１１２に取り込まれた映像信号は、信号処理部１２４を介してメモリ１１２に格納され、表示回路１２６を介して液晶モニタ３０に出力される。これにより、液晶モニタ３０にテレビ映像が表示される。
【００６０】
なお、チューナ１４０のチャンネル選択は、十字ボタン３６の左右のキーで行なわれる。すなわち、右キーを１回押すごとに、チャンネルが１つずつ順送りされ、左キーを１回押すごとに、チャンネルが１つずつ逆送りされる。この際、液晶モニタ３０には、右上隅に小さくチャンネル番号が重ねて表示される。すなわち、ＯＳＤ信号発生部１２７からチャンネル番号を表す信号が出力され、テレビ映像に重ね合わされて表示される。
【００６１】
また、テレビ音声のボリュームは、十字ボタン３６の上下のキーで行なわれ、上キーを１回押すごとに、ボリュームが段階的にアップする。この際、液晶モニタ３０には、下部中央位置にボリュームレベルがバーグラフで表示される。すなわち、ＯＳＤ信号発生部１２７からボリュームレベルに応じたバーグラフを表す信号が出力され、テレビ映像に重ね合わされて表示される。
【００６２】
さて、上記のように本実施の形態のデジタルカメラ１０は、モードスイッチ４２で「テレビモード」を選択すると、液晶モニタ３０でテレビ視聴が可能になるが、このテレビ視聴中に突然シャッタチャンスが訪れる場合もある。
【００６３】
このような場合、従来のカメラは、カメラのモードをテレビモードからカメラモードに切り替えなければならなかったが、このようにモードを切り替えていると、その間にシャッタチャンスを逃すおそれがある。
【００６４】
そこで、本実施の形態のデジタルカメラ１０では、テレビモードでテレビ視聴中にレリーズボタン２２を半押しすると、図５に示すように、液晶モニタ３０の表示がテレビ映像（図５（ａ））からスルー画像（図５（ｂ））に切り替わり、瞬時に撮影スタンバイ状態に移行する。具体的には次のように動作する。
【００６５】
テレビモードでテレビ視聴中にユーザがレリーズボタン２２を半押しすると、ＣＰＵ１００にＳ１ＯＮ信号が発せられる。ＣＰＵ１００は、このＳ１ＯＮ信号を検知すると、図５に示すように、液晶モニタ３０の表示をテレビ映像からスルー画像に切り替えるとともに、ＡＥ、ＡＦ制御を実行する。すなわち、被写体にピントが合うように、レンズ駆動部１２８を制御するとともに、被写体の明るさを測定し、適正露出となるように絞り値とシャッタ速度を決定する。
【００６６】
なお、このレリーズボタン２２の半押し後、再度レリーズボタン２２が半押しされた場合には、ＡＥ、ＡＦを再度実行する。また、レリーズボタン２２が半押しし続けられた場合は、ピント位置及び露出値をロックする（いわゆる、ＡＥ・ＡＦロック）。
【００６７】
この後、レリーズボタン２２が全押しされると、ＣＰＵ１００にＳ２ＯＮ信号が発せられ、ＣＰＵ１００は、このＳ２ＯＮ信号を検知して、記録動作を実行する。すなわち、決定した絞り値となるように絞り１０２を制御するとともに、決定したシャッタ速度となるようにＣＣＤ１０４の電子シャッタを制御し、画像の取り込みを行ない、メモリカード１３６に記録する。
【００６８】
メモリカード１３６への記録が完了すると、液晶モニタ３０の表示は再びテレビ映像に切り替わり、再度テレビ視聴が可能になる。
【００６９】
なお、撮影された画像を一定時間液晶モニタ３０に表示した後、液晶モニタ３０の表示をテレビ映像に切り替えるようにしてもよい。
【００７０】
また、撮影された画像を表示し、メモリカード１３６への記録の要否を問い合わせた後、液晶モニタ３０の表示をテレビ映像に切り替えるようにしてもよい。この場合、たとえばプレビュー画像に重ねて「記録しますか？  ＯＫ／キャンセル」というメッセージを液晶モニタ３０に表示させ、メニュー／ＯＫボタン３４が押された場合に記録を実行する。そして、記録実行後、液晶モニタ３０の表示をテレビ映像に切り替える。一方、ＢＡＣＫボタン３８が押された場合は、メモリカード１３６への記録は行なわずに、液晶モニタ３０の表示をテレビ映像に切り替える。
【００７１】
このように、本実施の形態のデジタルカメラ１０は、テレビモードでテレビ視聴中にレリーズボタン２２を半押しすると、液晶モニタ３０の表示がスルー画像に切り替わり、瞬時に撮影スタンバイ状態に移行する。これにより、テレビ視聴中に訪れたシャッタチャンスを逃すことなく、確実に撮影することができる。
【００７２】
なお、レリーズボタン２２の半押し後、所定時間内にレリーズボタン２２の全押し又は半押しが行なわれない場合には、撮影は行なわれないものとして、液晶モニタ３０の表示をテレビ映像に切り替えるようにしてもよい。
【００７３】
また、表示ボタン３２を押すと、液晶モニタ３０の表示が強制的にテレビ映像に切り替わるようにしてもよい。
【００７４】
さらに、図６に示すように、スルー画像の切り替わりとともに、そのスルー画像に重ねてシャッタ速度や絞り値、画像サイズ、撮影可能枚数の撮影情報を重ねて表示させるようにしてもよい。
【００７５】
また、本実施の形態では、テレビモードに設定された状態でレリーズボタン２２が半押しされると、液晶モニタ３０の表示がテレビ映像からスルー画像に切り替わるように構成されているが、設定により当該機能をＯＮ／ＯＦＦできるようにすることが好ましい。これにより、たとえば撮影を意図せずテレビ視聴のみ行ないたい場合などには、当該機能をＯＦＦにしておくことにより、誤ってレリーズボタン２２に触れて液晶モニタ３０の表示が切り替わるのを有効に防止することができる。
【００７６】
次に、本発明に係るデジタルカメラの第２の実施の形態について説明する。
【００７７】
上述した第１の実施の形態のデジタルカメラ１０では、カメラのモードをテレビモードに設定すると、液晶モニタ３０にテレビ映像が表示され、レリーズボタン２２を半押しすると、液晶モニタ３０の表示がスルー画像に切り替わるように構成されていた。
【００７８】
第２の実施の形態のデジタルカメラ２００は、図７に示すように、カメラのモードをテレビモードに設定すると、液晶モニタ３０にテレビ映像が全画面表示されるとともに、スルー画像が小画面で表示され、レリーズボタン２２を半押しすると、テレビ映像とスルー画像とが入れ替わって表示される。すなわち、スルー画像が全画面表示され、テレビ映像が小画面で表示される。
【００７９】
図８は、第２の実施の形態のデジタルカメラ２００の内部構成を示すブロック図である。なお、上述した第１の実施の形態のデジタルカメラ１０と同じ構成要素には、同じ符号を付してある。
【００８０】
同図に示すように、第２の実施の形態のデジタルカメラ２００は、合成処理回路２０２が備えられている点で上述した第１の実施の形態のデジタルカメラ２００と相違している。
【００８１】
合成処理回路２０２は、ＣＰＵ１００からの指令に基づきテレビ映像にスルー画像を嵌め込み合成するとともに、スルー画像にテレビ映像を嵌め込み合成する。この合成処理回路２０２には、信号処理部１２４で所定の信号処理が施されたテレビ映像の映像信号とスルー画像の画像信号とが入力される。
【００８２】
テレビ映像にスルー画像を嵌め込み合成する場合は、入力されたスルー画像の画像信号に対して、スルー画像が液晶モニタ３０の所定領域Ｓに表示されるようにサイズ変換し、テレビ映像の映像信号に上書きする。これにより、テレビ映像にスルー画像が嵌め込み合成された画像の画像信号が生成される。
【００８３】
一方、スルー画像にテレビ映像を嵌め込み合成する場合は、入力されたテレビ映像の画像信号に対して、テレビ映像が液晶モニタ３０の所定領域Ｓに表示されるようにサイズ変換し、スルー画像の画像信号に上書きする。これにより、スルー画像にテレビ映像が嵌め込み合成された画像の画像信号が生成される。
【００８４】
合成処理回路２０２で生成された合成画像の画像信号は、表示回路１２６を介して液晶モニタ３０に出力される。これにより、スルー画像中にテレビ映像が小画面で表示されたピクチャー・イン・ピクチャー（ＰＩＰ）の画像（スルー画像が全画面表示され、そのスルー画像に重ねてテレビ映像が小画面で表示された画像）、又は、テレビ映像中にスルー画像が小画面で表示されたＰＩＰの画像（テレビ映像が全画面表示され、そのテレビ映像に重ねてスルー画像が小画面で表示された画像）が液晶モニタ３０に表示される。
【００８５】
なお、このときＯＳＤ信号発生部１２７からは、テレビ映像又はスルー画像が小画面表示された領域Ｓを囲む枠線Ｆの信号が出力され、ＰＩＰ画像に枠線Ｆが合成表示される。
【００８６】
前記のごとく構成された第２の実施の形態のデジタルカメラ２００の作用は次のとおりである。
【００８７】
モードスイッチ４２によって「テレビモード」が選択されると、図７ (ａ）に示すように、液晶モニタ３０には主画面（全画面）にテレビ映像が表示され、スルー画像が小画面表示される。
【００８８】
いま、テレビ視聴中にユーザが、レリーズボタン２２を半押しすると、ＣＰＵ１００にＳ１ＯＮ信号が発せられる。ＣＰＵ１００は、このＳ１ＯＮ信号を検知すると、図７（ｂ）に示すように、テレビ映像とスルー画像とを入れ替えて表示させる。すなわち、主画面（全画面）にスルー画像を表示させ、テレビ画像を小画面表示させる。
【００８９】
この後、レリーズボタン２２が全押しされると、ＣＰＵ１００にＳ２ＯＮ信号が発せられ、ＣＰＵ１００は、このＳ２ＯＮ信号を検知して、撮影を実行する。すなわち、レリーズボタン２２が全押しされた瞬間の画像の取り込み、所定の信号処理を施してメモリカード１３６に記録する。
【００９０】
メモリカード１３６への記録が完了すると、液晶モニタ３０の表示は、再び主画面にテレビ映像が表示され、小画面にスルー画像が表示される。
【００９１】
なお、撮影された画像を一定時間液晶モニタ３０に全画面表示した後、液晶モニタ３０の表示を切り替えるようにしてもよい。また、撮影された画像を表示し、メモリカード１３６への記録の要否を問い合わせた後、液晶モニタ３０の表示を切り替えるようにしてもよい。
【００９２】
このように、本実施の形態のデジタルカメラ２００は、カメラのモードをテレビモードに設定すると、液晶モニタ３０にテレビ映像が全画面表示され、そのテレビ映像に重ねてスルー画像が小画面表示される。そして、このテレビモードでテレビ視聴中にレリーズボタン２２を半押しすると、液晶モニタ３０にスルー画像が全画面表示され、テレビ映像が小画面で表示される。これにより、テレビ視聴中に訪れたシャッタチャンスを逃すことなく、確実に撮影することができるとともに、テレビ映像も見逃すことがなく視聴できる。
【００９３】
なお、レリーズボタン２２の半押し後、所定時間内にレリーズボタン２２の全押し又は半押しが行なわれない場合には、撮影は行なわれないものとして、液晶モニタ３０の主画面の表示をテレビ映像に切り替えるようにしてもよい。
【００９４】
また、主画面の表示がスルー画像に切り替わった後、表示ボタン３２を押すと、主画面の表示が強制的にテレビ映像に切り替わるようにしてもよい。
【００９５】
さらに、小画面の表示／非表示を任意に切り替えられるようにしてもよい。たとえば、主画面にテレビ映像が表示され、小画面にスルー画像が表示された状態で表示ボタン３２を押すと、小画面の表示がＯＦＦになり、テレビ映像のみが液晶モニタ３０に表示されるようにする。同様に主画面にスルー画像が表示され、小画面にテレビ映像が表示された状態で表示ボタン３２を押すと、小画面の表示がＯＦＦになり、スルー画像のみが液晶モニタ３０に表示されるようにする。これにより、テレビ視聴中はテレビ視聴のみに集中でき、撮影中は撮影作業にのみ集中することができる。
【００９６】
また、主画面がスルー画像へ切り替わるのと同時に、そのスルー画像に重ねてシャッタ速度や絞り値、画像サイズ、撮影可能枚数の撮影情報を重ねて表示させるようにしてもよい。
【００９７】
なお、自動ピント調節（ＡＦ）については、テレビモード中、常に動作させておいてもよいし、レリーズボタン２２が半押しされたときのみ動作させるようにしてもよい。この設定をメニュー画面等で任意に選択できるようにすることが好ましい。
【００９８】
また、自動露出調整（ＡＥ）については、テレビモード中、常に動作させておき、レリーズボタン２２が半押しされたとき、再度撮影用の測光を行なうようにすることが好ましい。
【００９９】
なお、本実施の形態では、カメラのモードをテレビモードに設定すると、主画面にテレビ映像が表示されるとともに、小画面にスルー画像が表示され、レリーズボタン２２の半押しでテレビ映像とスルー画像の表示が入れ替わるように構成されているが、テレビ映像の表示のみを行なうモードを選択できるようにすることが好ましい。これにより、たとえば撮影を意図しない場合などには、不要なスルー画像の表示を非表示とすることができる。また、撮影系の回路への電力供給が不要になるので、電力消費を抑えることができる。
【０１００】
次に、本発明に係るデジタルカメラの第３の実施の形態について説明する。
【０１０１】
図９は、本発明に係るデジタルカメラの第３の実施の形態の外観構成を示す背面図である。
【０１０２】
同図に示すように、本実施の形態のデジタルカメラ３００は、カメラボディ３０２の背面に大画面の液晶モニタ３０４（以下「メインモニタ」と呼ぶ）と小画面の液晶モニタ３０６（以下「サブモニタ」と呼ぶ）の２つの液晶モニタを備えている。
【０１０３】
なお、同図において、符号の３０８は光学ファインダであり、３１０はレリーズボタン、３１２はモードダイヤル、３１４はストロボボタン、３１６はマクロボタン、３１８は電源ボタン、３２０は表示ボタン、３２２は十字ボタン、３２４はＢＡＣＫボタン、３２６はスピーカである。モードダイヤル３１２は、レリーズボタン３１０の外周を回動自在に設けられており、このモードダイヤル３１２により、カメラのモードが「カメラモード」、「再生モード」、「テレビモード」に設定される。また、十字ボタン３２２は、メニュー／ＯＫボタンを兼ねており、カメラボディ３０２に向けて押し込むことにより、メニュー／ＯＫボタンとして機能する。各ボタンの機能は、上述した第１の実施の形態のデジタルカメラ１０と基本的に同じである。
【０１０４】
また、図示されていないが、カメラボディ１２の正面には、撮影レンズ、ストロボ、ストロボ調光センサ、ファインダ窓等が設けられており、上面にはアンテナ３２８が設けられている。
【０１０５】
図１０は、第３の実施の形態のデジタルカメラ３００の内部構成を示すブロック図である。なお、上述した第１の実施の形態のデジタルカメラ１０と同じ構成要素には、同じ符号を付してある。
【０１０６】
同図に示すように、第３の実施の形態のデジタルカメラ３００は、メインモニタ用表示回路３３０とサブモニタ用表示回路３３２を備えている点で上述した第１の実施の形態のデジタルカメラ１０と相違している。
【０１０７】
メインモニタ用表示回路３３０は、メモリ１１２を介して信号処理部１２４から入力される画像データをＣＰＵ１００からの指令に基づき表示用の信号に変換してメインモニタ３０４に出力する。
【０１０８】
サブモニタ用表示回路３３２は、メモリ１１２を介して信号処理部１２４から入力される画像データをＣＰＵ１００からの指令に基づき表示用の信号に変換してサブモニタ３０６に出力する。
【０１０９】
さて、この第３の実施の形態のデジタルカメラ３００では、モードダイヤル３１２にてカメラのモードをカメラモードに設定すると、メインモニタ３０４にスルー画像が表示され、サブモニタ３０６に撮影情報（シャッタ速度、絞り値、撮影可能枚数、撮影画質、露出補正値、ホワイトバランス設定、ＩＳＯ感度等）が表示される。
【０１１０】
なお、メインモニタ３０４の表示は、表示ボタン３２０の押下に連動して表示／非表示が切り替わり、表示／非表示をユーザが任意に設定できるようにされている。これにより、光学ファインダ３０８を使って撮影するときなどにメインモニタ３０４の表示を非表示にすることができる。
【０１１１】
また、カメラのモードを再生モードに設定すると、メインモニタ３０４には撮影画像が表示され、サブモニタ３０６には、その撮影画像の撮影情報（シャッタ速度、絞り値、ファイルNo.、撮影画質、露出補正値、ホワイトバランス設定、ＩＳＯ感度等）が表示される。
【０１１２】
また、カメラのモードをテレビモードに設定すると、図１１（ａ) に示すように、メインモニタ３０４にテレビ映像が表示され、サブモニタ３０６にスルー画像が表示される。そして、このテレビモードに設定された状態でレリーズボタン３１０を半押しすると、メインモニタ３０４とサブモニタ３０６の画像が入れ替わって表示される。すなわち、図１１（ｂ）に示すように、メインモニタ３０４にスルー画像が表示され、サブモニタ３０６にテレビ映像が表示される。具体的には、次のように動作する。
【０１１３】
モードダイヤル３１２によって「テレビモード」が選択されると、信号処理部１２４で信号処理されたテレビの映像信号がメモリ１１２を介してメインモニタ用表示回路３３０に入力され、メインモニタ３０４にテレビ映像が表示される。また、信号処理部１２４で信号処理されたスルー画像の画像信号がメモリ１１２を介してサブモニタ用表示回路３３２に入力され、サブモニタ３０６にスルー画像が表示される。すなわち、「テレビモード」が選択されると、図１１ (ａ）に示すように、メインモニタ３０４にテレビ映像が表示され、サブモニタ３０６にスルー画像が表示される。
【０１１４】
いま、テレビ視聴中にユーザが、レリーズボタン３１０を半押しすると、ＣＰＵ１００にＳ１ＯＮ信号が発せられる。ＣＰＵ１００は、このＳ１ＯＮ信号を検知すると、テレビの映像信号をサブモニタ用表示回路３３２に出力し、スルー画像の画像信号をメインモニタ用表示回路３３０に出力する。この結果、図１１（ｂ）に示すように、テレビ映像とスルー画像とを入れ替わる。すなわち、メインモニタ３０４にスルー画像が表示され、サブモニタ３０６にテレビ画像が表示される。
【０１１５】
この後、レリーズボタン３１０が全押しされると、ＣＰＵ１００にＳ２ＯＮ信号が発せられ、ＣＰＵ１００は、このＳ２ＯＮ信号を検知して、撮影を実行する。すなわち、レリーズボタン３１０が全押しされた瞬間の画像の取り込み、所定の信号処理を施してメモリカード１３６に記録する。
【０１１６】
メモリカード１３６への記録が完了すると、再びメインモニタ３０４にテレビ映像が表示され、サブモニタ３０６にスルー画像が表示される。
【０１１７】
なお、撮影された画像を一定時間メインモニタ３０４に表示した後にメインモニタ３０４とサブモニタ３０６の表示を切り替えてもよい。また、撮影された画像をメインモニタ３０４に表示し、メモリカード１３６への記録の要否を問い合わせた後、液晶モニタ３０の表示を切り替えるようにしてもよい。
【０１１８】
このように、本実施の形態のデジタルカメラ３００は、カメラのモードをテレビモードに設定すると、メインモニタ３０４にテレビ映像が表示され、サブモニタ３０６にスルー画像が表示される。そして、このテレビモードでテレビ視聴中にレリーズボタン３１０を半押すると、メインモニタ３４０にスルー画像が表示され、サブモニタ３０６にテレビ映像が表示される。これにより、テレビ視聴中に訪れたシャッタチャンスを逃すことなく、確実に撮影することができるとともに、テレビ映像も見逃すことなく視聴できる。
【０１１９】
なお、レリーズボタン３１０の半押し後、所定時間内にレリーズボタン３１０の全押し又は半押しが行なわれない場合には、撮影は行なわれないものとして、メインモニタ３０４の映像をテレビ映像に切り替え、サブモニタ３０６にスルー画像を表示させるようにしてもよい。
【０１２０】
また、メインモニタ３０４がスルー画像に切り替わった後、表示ボタン３２０を押すと、再びメインモニタ３０４の表示がテレビ映像に切り替わるようにしてもよい（撮影を中止する場合）。
【０１２１】
さらに、サブモニタ３０６の表示は、ＯＮ／ＯＦＦを任意に切り替えられるようにすることが好ましい。たとえば、メインモニタ３０４にテレビ映像が表示され、サブモニタ３０６にスルー画像が表示された状態で表示ボタン３２０を押すと、サブモニタ３０６の表示がＯＦＦになり、テレビ映像のみがメインモニタ３０４に表示されるようにする。メインモニタ３０４にスルー画像が表示され、サブモニタ３０６にテレビ映像が表示された状態で表示ボタン３２０を押すと、サブモニタ３０６の表示がＯＦＦになり、スルー画像のみがメインモニタ３０４に表示されるようにする。これにより、撮影を意図しない場合などには、サブモニタ３０６の表示をＯＦＦにしておくことにより、テレビ視聴のみに集中することができる。また、電力消費も押さえることができる。また、撮影中もサブモニタ３０６の表示をＯＦＦにすることにより、撮影作業に集中することができる。
【０１２２】
また、メインモニタ３０４の表示がスルー画像に切り替わるのと同時に、そのスルー画像に重ねてシャッタ速度や絞り値、画像サイズ、撮影可能枚数の撮影情報を重ねて表示させるようにしてもよい。あるいは、設定によりサブモニタ３０６の表示をテレビ映像に代えて撮影情報を表示できるようにしてもよい。
【０１２３】
なお、自動ピント調節（ＡＦ）については、テレビモード中、常に動作させておいてもよいし、レリーズボタン２２が半押しされたときのみ動作させるようにしてもよい。この設定をメニュー画面等で任意に選択できるようにすることが好ましい。
【０１２４】
また、自動露出調整（ＡＥ）については、テレビモード中、常に動作させておき、レリーズボタン２２が半押しされたとき、再度撮影用の測光を行なうようにすることが好ましい。
【０１２５】
以上のように、上述した第１〜第３の実施の形態のデジタルカメラによれば、テレビ視聴中であってもレリーズボタンの半押しで瞬時にモニタの表示がスルー画像に切り替わり、撮影スタンバイ状態になるため、テレビ視聴中に突然訪れたシャッタチャンスも撮り逃すことなく、迅速に対応することができる。
【０１２６】
なお、上述した一連の実施の形態では、カメラボディに組み込むモニタに液晶モニタを利用した場合を例に説明したが、モニタの種類はこれに限らず、ＣＲＴや有機ＥＬパネル等のモニタを利用してもよい。
【０１２７】
また、第３の実施の形態のデジタルカメラ３００は、メインモニタ３０４とサブモニタ３０６の２つのモニタを備えた構成となっているが、メインモニタ３０４はカラー高精細のモニタで構成するとともに、サブモニタ３０６は白黒粗画素のモニタで構成するようにしてもよい。
【０１２８】
また、上述した一連の実施の形態では、フォーカス調整可能なカメラに本発明を適用した場合を例に説明したが、フォーカス調整機能を持たない固定焦点カメラにも適用することができ、この場合は、レリーズボタンの半押しで、測光操作のみを実行するように構成する。
【０１２９】
さらに、本発明は動画撮影を行なうデジタルカメラにも同様に適用することができ、この場合は、レリーズボタンの半押しでモニタの表示をスルー画像に切り替え、撮影スタンバイ状態になるように構成する（動画撮影の実行はレリーズボタンの全押しで行なう）。
【図面の簡単な説明】
【０１３０】
【図１】第１の実施の形態のデジタルカメラの外観構成を示す正面図
【図２】第１の実施の形態のデジタルカメラの外観構成を示す側面図
【図３】第１の実施の形態のデジタルカメラの外観構成を示す背面図
【図４】第１の実施の形態のデジタルカメラの内部構成を示したブロック図
【図５】第１の実施の形態のデジタルカメラの作用の説明図
【図６】第１の実施の形態のデジタルカメラの作用の説明図
【図７】第２の実施の形態のデジタルカメラの作用の説明図
【図８】第２の実施の形態のデジタルカメラの内部構成を示したブロック図
【図９】第３の実施の形態のデジタルカメラの外観構成を示す背面図
【図１０】第３の実施の形態のデジタルカメラの内部構成を示したブロック図
【図１１】第３の実施の形態のデジタルカメラの作用の説明図
【符号の説明】
【０１３１】
１０…デジタルカメラ、１２…カメラボディ、１４…撮影レンズ、２０…アンテナ、２２…レリーズボタン、３０…液晶モニタ、３２…表示ボタン、３６…十字ボタン、４２…モードスイッチ、４４…スピーカ、１００…ＣＰＵ、１０４…ＣＣＤイメージセンサ、１０８…アナログ処理部、１１０…Ａ／Ｄ変換器、１１２…メモリ、１２０…操作部、１２４…信号処理部、１２６…表示回路、１２７…ＯＳＤ信号発生部、１３６…メモリカード、１４０…チューナ、２００…デジタルカメラ、２０２…合成処理回路、３００…デジタルカメラ、３０２…カメラボディ、３０４…メインモニタ、３０６…サブモニタ、３１０…レリーズボタン、３１２…モードダイヤル、３２０…表示ボタン、３２２…十字ボタン、３２６…スピーカ、３２８…アンテナ、３３０…メインモニタ用表示回路、３３２…サブモニタ用表示回路
【図１】
2005167701.tif 000003
【図２】
2005167701.tif 000004
【図３】
2005167701.tif 000005
【図４】
2005167701.tif 000006
【図５】
2005167701.tif 000007
【図６】
2005167701.tif 000008
【図７】
2005167701.tif 000009
【図８】
2005167701.tif 000010
【図９】
2005167701.tif 000011
【図１０】
2005167701.tif 000012
【図１１】
2005167701.tif 000013